(57)【要約】【課題】ＩＥＥＥ１３９４シリアルバスネットワーク（以下、ネットワークと略す）への接続機器において、ネットワークへの接続時に、ユーザが、ネットワーク上のテレビジョン受像機やパソコンのモニタ上に、ネットワーク上の接続機器の一覧を表示させることなく、該当の接続機器が、真にネットワークに接続されたか否かを、視覚的、かつ、簡単に確認できるようにする。【解決手段】ネットワーク上における他の接続機器とケーブルを介して接続されたときに、他の接続機器側（ポートＢ側）のＴＰＡ＋の信号線から該当の接続機器側（ポートＡ側）のＴＰＢ＋の信号線に印加される電圧を、増幅回路５１により増幅して、増幅後の電圧を接続確認用のＬＥＤ５２に印加し、ＬＥＤ５２を点灯させるようにした。これにより、ユーザは、ＬＥＤ５２が点灯しているか否かに基いて、該当の接続機器がネットワークに接続されたか否かを視覚的に確認することができる。【選択図】図３
2006217462.tif 000002
【特許請求の範囲】
【請求項１】
ＩＥＥＥ１３９４シリアルバスネットワーク上における他の接続機器とＩＥＥＥ１３９４シリアルバスケーブル（以下、ケーブルと略す）を介して接続されており、
前記他の接続機器との間でＩＥＥＥ１３９４用の制御コマンドとその応答信号の送受信、及びストリームの送受信を行うためのＩＥＥＥ１３９４インタフェース（以下、インタフェースと略す）を備え、
前記ケーブルは、ＴＰＡ＋の信号線とＴＰＡ−の信号線とからなるＴＰＡツイストペアケーブルと、ＴＰＢ＋の信号線とＴＰＢ−の信号線とからなるＴＰＢツイストペアケーブルとを内包しており、
前記インタフェースは、
前記ケーブルの接続用のポートと、
前記ＴＰＡツイストペアケーブルに印加するためのバイアス電圧を生成するバイアス電圧ジェネレータを持ち、物理層レベルの通信機能を提供するＰＨＹチップとを含んでおり、
前記他の接続機器との接続時に、前記他の接続機器からのバイアス電圧が、前記ケーブルを介して前記ＴＰＢ＋の信号線とＴＰＢ−の信号線とに印加される、ＩＥＥＥ１３９４シリアルバスネットワークへの接続機器において、
前記他の接続機器との間の接続確認用のＬＥＤ（Light Emitting Diode）と、
前記ＴＰＢ＋の信号線と接続されて、前記他の接続機器側から前記ケーブルを介して前記ＴＰＢ＋の信号線に印加される電圧を増幅して、増幅後の電圧を前記接続確認用のＬＥＤに印加する増幅回路とをさらに備え、
ユーザが、前記接続確認用のＬＥＤを見ることにより、該当の接続機器がＩＥＥＥ１３９４シリアルバスネットワークに接続されたか否かを視覚的に確認することができるようにしたことを特徴とするＩＥＥＥ１３９４シリアルバスネットワークへの接続機器。
【請求項２】
ＩＥＥＥ１３９４シリアルバスネットワーク上における他の接続機器とＩＥＥＥ１３９４シリアルバスケーブル（以下、ケーブルと略す）を介して接続されており、
前記他の接続機器との間でＩＥＥＥ１３９４用の制御コマンドとその応答信号の送受信、及びストリームの送受信を行うためのＩＥＥＥ１３９４インタフェース（以下、インタフェースと略す）を備え、
前記ケーブルは、ＴＰＡ＋の信号線とＴＰＡ−の信号線とからなるＴＰＡツイストペアケーブルと、ＴＰＢ＋の信号線とＴＰＢ−の信号線とからなるＴＰＢツイストペアケーブルとを内包しており、
前記インタフェースは、
前記ケーブルの接続用のポートと、
物理層レベルの通信機能を提供するＰＨＹチップとを含んでおり、
前記他の接続機器との接続時に、前記他の接続機器からのバイアス電圧が、前記ケーブルを介して前記ＴＰＢ＋の信号線とＴＰＢ−の信号線とに印加される、ＩＥＥＥ１３９４シリアルバスネットワークへの接続機器において、
前記他の接続機器との間の接続確認用の点灯部材をさらに備え、
ユーザが、前記点灯部材を見ることにより、該当の接続機器がＩＥＥＥ１３９４シリアルバスネットワークに接続されたか否かを視覚的に確認することができるようにしたことを特徴とするＩＥＥＥ１３９４シリアルバスネットワークへの接続機器。
【請求項３】
前記ＴＰＢ＋又はＴＰＢ−の信号線と接続されて、前記他の接続機器側から前記ケーブルを介して前記ＴＰＢ＋又はＴＰＢ−の信号線に印加される電圧を増幅して、増幅後の電圧を前記接続確認用の点灯部材に印加する増幅回路をさらに備えたことを特徴とする請求項２に記載のＩＥＥＥ１３９４シリアルバスネットワークへの接続機器。
【請求項４】
前記点灯部材は、ＬＥＤ（Light Emitting Diode）であることを特徴とする請求項２又は請求項３に記載のＩＥＥＥ１３９４シリアルバスネットワークへの接続機器。
【発明の詳細な説明】
【技術分野】
【０００１】
本発明は、ＩＥＥＥ１３９４シリアルバスネットワーク上における他の接続機器とＩＥＥＥ１３９４シリアルバスケーブルを介して接続される接続機器に関する。
【背景技術】
【０００２】
従来、ユーザが、ある接続機器がＩＥＥＥ１３９４シリアルバスネットワーク（以下、ネットワークと略す）に接続されたか否かを確認するためには、ネットワーク上のテレビジョン受像機やパソコンのモニタ上に、ネットワーク上の接続機器の一覧を表示させて、この一覧の中に該当の接続機器が含まれているか否かを確認するしか方法がなかった（例えば、特許文献１及び２参照）。何故なら、見かけ上、該当の接続機器にＩＥＥＥ１３９４シリアルバスケーブル（以下、ケーブルと略す）が接続されている場合でも、相手の接続機器にケーブルが接続されていない場合や、ケーブルが断線している場合や、相手の接続機器の電源が切断されている場合があるため、該当の接続機器が真にネットワークに接続されているか否かは分からないからである。従って、該当の接続機器をケーブルを用いてネットワーク上の他の接続機器と接続した時点では、該当の接続機器が、真にネットワークに接続されたか否かを確認することができなかった。
【０００３】
ところで、この種の接続機器において、デイジーチェーンにより接続可能な台数の最大値に達した場合等に、対応するＬＥＤを点灯させて、ユーザに知らせるようにしたものが知られている（特許文献３参照）。しかし、特許文献３の発明では、上記の問題を解決することはできない。
【特許文献１】特開平１０−１６４１１３号公報
【特許文献２】特開２００３−２１６５１６号公報
【特許文献３】特開２００２−８２９０３号公報
【発明の開示】
【発明が解決しようとする課題】
【０００４】
本発明は、上記の問題を解決するためになされたものであり、ネットワークへの接続時に、ユーザが、ネットワーク上のテレビジョン受像機やパソコンのモニタ上に、ネットワーク上の接続機器の一覧を表示させることなく、該当の接続機器が、真にネットワークに接続されたか否かを、視覚的、かつ、簡単に確認することが可能なＩＥＥＥ１３９４シリアルバスネットワークへの接続機器を提供することを目的とする。
【課題を解決するための手段】
【０００５】
上記目的を達成するために、請求項１の発明は、ＩＥＥＥ１３９４シリアルバスネットワーク上における他の接続機器とＩＥＥＥ１３９４シリアルバスケーブル（以下、ケーブルと略す）を介して接続されており、前記他の接続機器との間でＩＥＥＥ１３９４用の制御コマンドとその応答信号の送受信、及びストリームの送受信を行うためのＩＥＥＥ１３９４インタフェース（以下、インタフェースと略す）を備え、前記ケーブルは、ＴＰＡ＋の信号線とＴＰＡ−の信号線とからなるＴＰＡツイストペアケーブルと、ＴＰＢ＋の信号線とＴＰＢ−の信号線とからなるＴＰＢツイストペアケーブルとを内包しており、前記インタフェースは、前記ケーブルの接続用のポートと、前記ＴＰＡツイストペアケーブルに印加するためのバイアス電圧を生成するバイアス電圧ジェネレータを持ち、物理層レベルの通信機能を提供するＰＨＹチップとを含んでおり、前記他の接続機器との接続時に、前記他の接続機器からのバイアス電圧が、前記ケーブルを介して前記ＴＰＢ＋の信号線とＴＰＢ−の信号線とに印加される、ＩＥＥＥ１３９４シリアルバスネットワークへの接続機器において、前記他の接続機器との間の接続確認用のＬＥＤ（Light Emitting Diode）と、前記ＴＰＢ＋の信号線と接続されて、前記他の接続機器側から前記ケーブルを介して前記ＴＰＢ＋の信号線に印加される電圧を増幅して、増幅後の電圧を前記接続確認用のＬＥＤに印加する増幅回路とをさらに備え、ユーザが、前記接続確認用のＬＥＤを見ることにより、該当の接続機器がＩＥＥＥ１３９４シリアルバスネットワークに接続されたか否かを視覚的に確認することができるようにしたものである。
【０００６】
請求項２の発明は、ＩＥＥＥ１３９４シリアルバスネットワーク上における他の接続機器とＩＥＥＥ１３９４シリアルバスケーブル（以下、ケーブルと略す）を介して接続されており、前記他の接続機器との間でＩＥＥＥ１３９４用の制御コマンドとその応答信号の送受信、及びストリームの送受信を行うためのＩＥＥＥ１３９４インタフェース（以下、インタフェースと略す）を備え、前記ケーブルは、ＴＰＡ＋の信号線とＴＰＡ−の信号線とからなるＴＰＡツイストペアケーブルと、ＴＰＢ＋の信号線とＴＰＢ−の信号線とからなるＴＰＢツイストペアケーブルとを内包しており、前記インタフェースは、前記ケーブルの接続用のポートと、物理層レベルの通信機能を提供するＰＨＹチップとを含んでおり、前記他の接続機器との接続時に、前記他の接続機器からのバイアス電圧が、前記ケーブルを介して前記ＴＰＢ＋の信号線とＴＰＢ−の信号線とに印加される、ＩＥＥＥ１３９４シリアルバスネットワークへの接続機器において、前記他の接続機器との間の接続確認用の点灯部材をさらに備え、ユーザが、前記点灯部材を見ることにより、該当の接続機器がＩＥＥＥ１３９４シリアルバスネットワークに接続されたか否かを視覚的に確認することができるようにしたものである。
【０００７】
請求項３の発明は、請求項２に記載のＩＥＥＥ１３９４シリアルバスネットワークへの接続機器において、前記ＴＰＢ＋又はＴＰＢ−の信号線と接続されて、前記他の接続機器側から前記ケーブルを介して前記ＴＰＢ＋又はＴＰＢ−の信号線に印加される電圧を増幅して、増幅後の電圧を前記接続確認用の点灯部材に印加する増幅回路をさらに備えたものである。
【０００８】
請求項４の発明は、請求項２又は請求項３に記載のＩＥＥＥ１３９４シリアルバスネットワークへの接続機器において、前記点灯部材を、ＬＥＤ（Light Emitting Diode）としたものである。
【発明の効果】
【０００９】
請求項１の発明によれば、ネットワーク上における他の接続機器とケーブルを介して接続されたときに、他の接続機器側からケーブルを介してＴＰＢ＋の信号線に印加される電圧を増幅回路により増幅して、増幅後の電圧を接続確認用のＬＥＤに印加し、このＬＥＤを点灯させることができる。これにより、ユーザが、ネットワーク上のテレビジョン受像機やパソコンのモニタ上に、ネットワーク上の接続機器の一覧を表示させることなく、該当の接続機器が、真にネットワークに接続されたか否かを、視覚的、かつ、簡単に確認することができる。
【００１０】
請求項２の発明によれば、他の接続機器との間の接続確認用の点灯部材を備えたことにより、該当の接続機器が、ネットワーク上における他の接続機器とケーブルを介して接続されたときに、ユーザが、この点灯部材を見て、該当の接続機器がＩＥＥＥ１３９４シリアルバスネットワークに接続されたことを確認することができる。これにより、ユーザが、ネットワーク上のテレビジョン受像機やパソコンのモニタ上に、ネットワーク上の接続機器の一覧を表示させることなく、該当の接続機器が、真にネットワークに接続されたか否かを、視覚的、かつ、簡単に確認することができる。
【００１１】
請求項３の発明によれば、該当の接続機器が、ネットワーク上における他の接続機器とケーブルを介して接続されたときに、他の接続機器側からケーブルを介してＴＰＢ＋の信号線に印加される電圧を増幅回路により増幅して、増幅後の電圧を接続確認用の点灯部材に印加し、この点灯部材を点灯させることができる。これにより、この点灯部材に専用の電源を設けることなく、上記請求項２に記載の効果を的確に得ることができる。
【００１２】
請求項４の発明によれば、上記の点灯部材をＬＥＤとしたことにより、上記に記載の効果を的確に得ることができる。
【発明を実施するための最良の形態】
【００１３】
本発明を実施するための最良の形態について図面を参照して説明する。本発明は、ＩＥＥＥ１３９４シリアルバスネットワーク（以下、ネットワークと略す）上における他の接続機器とＩＥＥＥ１３９４シリアルバスケーブル（以下、ケーブルと略す）を介して接続される接続機器（主に、ＡＶ（Audio-Visual）機器）に関するものである。以下の実施形態では、本発明をディジタルデータの記録再生が可能なＡＶ機器に適用した場合の例について説明する。なお、以下に記載した実施形態は、本発明を網羅するものではなく、本発明は、下記の形態だけに限定されない。
【００１４】
図１は、本実施形態によるネットワーク４への接続機器１と、この接続機器１に接続される、ネットワーク４上の他の接続機器２との電気的ブロック構成を示す。この接続機器１は、他の接続機器２との間でＩＥＥＥ１３９４用の制御コマンドとその応答信号の送受信、及びストリームの送受信を行うためのＩＥＥＥ１３９４インタフェース（以下、インタフェースと略す）１０を備えている。また、接続機器１は、装置全体の制御を行うＣＰＵ１１と、制御用プログラムを含む各種データを記憶するメモリ１２と、各種の指示を入力するための操作部１３と、各種のメッセージ情報等を表示するための表示部１４と、ディジタルデータの記録再生を行う記録再生部１５と、電源１６とを備えている。インタフェース１０は、ケーブル３の接続用のポートＡを有している。
【００１５】
また、上記の接続機器１とケーブル３を介して接続されている接続機器２も、接続機器１と同様なインタフェース２０、ＣＰＵ２１、メモリ２２、操作部２３、表示部２４、記録再生部２５、及び電源２６を備えており、インタフェース２０には、ケーブル３の接続用のポートＢが設けられている。
【００１６】
次に、上記接続機器１側のインタフェース１０の詳細な電気的ブロック構成について図２を参照して説明する。インタフェース１０は、上記のポートＡに加えて、ネットワーク４上の他の接続機器２との間でディジタル信号の送受信を行う際に、物理層レベルの通信機能を提供するＰＨＹチップ３１と、このＰＨＹチップ３１と図１中のＣＰＵ１１との間のインタフェース機能を有し、リンク層レベルの通信機能を提供するＬＩＮＫチップ３２と、ＦＰＧＡ３３と、ＦＰＧＡ３３内のバイト／ワード変換部３７とＣＰＵバスとの間でアイソクロナスデータをバッファリングするためのＦＩＦＯ３４と、送受信したいアイソクロナスデータ等のデータのバッファとして使用可能なＳＲＡＭ３５と、ＦＰＧＡ３６とを有している。上記のＰＨＹチップ３１は、ケーブル３内のＴＰＡツイストペアケーブル（図３中のＴＰＡ＋の信号線とＴＰＡ−の信号線とに相当）に印加するためのバイアス電圧を生成するバイアス電圧ジェネレータ４２を内包している。また、ＦＰＧＡ３３は、インタフェース１０が図１中の記録再生部１５との間でアイソクロナスデータを送受信する際に、アイソクロナスデータのバイト／ワード変換や、ＦＩＦＯ３４への書き込み・読み出しの制御を行うバイト／ワード変換部３７と、ユーザファンクション３８とから構成される。記録再生部１５との間のアイソクロナスデータの送受信は、外部コネクタ３９を介して行われる。
【００１７】
上記のＦＰＧＡ３６は、ＬＩＮＫチップ３２とＣＰＵバスとの間を結ぶ経路（アシンクロナスデータやレジスタ制御用データの経路）に配されており、主に外部ＣＰＵインタフェース４０とＤＭＡ（Direct Memory Access）コントローラ４１とから構成されている。外部ＣＰＵインタフェース４０は、外部ＣＰＵからの制御によりＬＩＮＫチップ３２のレジスタ制御等を行う。ＦＰＧＡ３６とＬＩＮＫチップ３２との間のデータ転送は、内部バス４３を介して行われる。
【００１８】
次に、図３を参照して、ユーザが、上記接続機器１がネットワーク４に接続されたか否かを確認するための方法について説明する。接続機器１と接続機器２との間を接続するケーブル３は、ＴＰＡ＋の信号線とＴＰＡ−の信号線とからなるＴＰＡツイストペアケーブルと、ＴＰＢ＋の信号線とＴＰＢ−の信号線とからなるＴＰＢツイストペアケーブルとを内包している。通常のパケット送信時には、ＴＰＢ＋の信号線とＴＰＢ−の信号線とからデータ信号を送信し、ＴＰＡ＋の信号線とＴＰＡ−の信号線とからストローブ信号を送信する。また、ケーブル３の接続／取り外しの検出は、ＴＰＢ＋の信号線とＴＰＢ−の信号線とに印加されるバイアス電圧を検知することによって行われる。具体的には、ＴＰＢ＋の信号線とＴＰＢ−の信号線とには、接続機器１がケーブル３を介して他の接続機器２と接続されていないときには、電圧が印加されないが、接続機器１がケーブル３を介して他の接続機器２と接続されると、接続機器１側（ポートＡ側）のＴＰＢ＋の信号線とＴＰＢ−の信号線とに、それぞれ他の接続機器２側（ポートＢ側）のＴＰＡ＋の信号線からのバイアス電圧とＴＰＡ−の信号線からのバイアス電圧とが、ケーブル３を介して印加される。インタフェース１０は、上記のバイアス電圧を検知することによって、ケーブル３の接続／取り外しの検出を行っている。
【００１９】
本接続機器１は、上記のバイアス電圧を増幅させるための増幅回路５１と、他の接続機器２との間の接続確認用のＬＥＤ（Light Emitting Diode）５２（点灯部材）と、抵抗Ｒ５３とを有しており、増幅回路５１の一端には、接続機器１側（ポートＡ側）のＴＰＢ＋の信号線から分岐した信号線が接続されている。ユーザは、上記のＬＥＤ５２が点灯しているか否かを確認することにより、接続機器１がネットワーク４に接続されたか否かを視覚的に確認することができる。具体的には、接続機器１側（ポートＡ側）のＴＰＢ＋の信号線に印加されるバイアス電圧は、１．６６５Ｖから２．０１５Ｖであり、ＬＥＤ５２を点灯させるには不十分であるため、上記のバイアス電圧を増幅回路５１により約３Ｖに増幅して、増幅後の電圧をＬＥＤ５２に印加し、ＬＥＤ５２を点灯させる。これにより、ユーザが、ネットワーク４上のテレビジョン受像機やパソコンのモニタ上に、ネットワーク４上の接続機器の一覧を表示させることなく、接続機器１が、真にネットワーク４に接続されているか否かを、視覚的、かつ、簡単に確認することができる。また、ＬＥＤ５２に専用の電源を設ける必要がなくなる。なお、図に示されるように、これらの増幅回路５１とＬＥＤ５２と抵抗Ｒ５３とは、直列に接続されており、抵抗Ｒ５３の一端は、接地されている。
【００２０】
従来は、見かけ上、ある接続機器にケーブルが接続されている場合でも、相手の接続機器にケーブルが接続されていない場合や、ケーブルが断線している場合や、相手の接続機器の電源が切断されている場合があるため、該当の接続機器が真にネットワークに接続されているか否かは分からなかったが、本接続機器１によれば、このような場合でも、ユーザが、接続機器１のＬＥＤ５２だけを見て、接続機器１が真にネットワーク４に接続されているか否かを容易に確認することができる。
【００２１】
なお、本発明は、上記実施形態に限られるものではなく、様々な変形が可能である。例えば、上記の実施形態では、増幅回路５１の一端に、接続機器１側のＴＰＢ＋の信号線から分岐した信号線を接続したが、増幅回路５１の一端に、接続機器１側のＴＰＢ−の信号線から分岐した信号線を接続してもよい。また、上記の実施形態では、接続確認用の点灯部材としてＬＥＤを用いた場合の例を示したが、これに限られず、ランプ等の点灯部材を用いてもよい。
【図面の簡単な説明】
【００２２】
【図１】本発明の一実施形態に係る接続機器と、この接続機器に接続される、ＩＥＥＥ１３９４シリアルバスネットワーク上の他の接続機器の電気的ブロック構成図。
【図２】上記図１中のＩＥＥＥ１３９４インタフェースの詳細な電気的ブロック構成図。
【図３】上記図１中のＩＥＥＥ１３９４シリアルバスケーブル内の信号線と、この信号線から印加されたバイアス電圧を増幅させるための増幅回路と、接続確認用のＬＥＤ等を示す回路図。
【符号の説明】
【００２３】
１    接続機器（ＩＥＥＥ１３９４シリアルバスネットワークへの接続機器）
２    接続機器（ＩＥＥＥ１３９４シリアルバスネットワーク上における他の接続機器）
３    ケーブル（ＩＥＥＥ１３９４シリアルバスケーブル）
４    ネットワーク（ＩＥＥＥ１３９４シリアルバスネットワーク）
１０  インタフェース（ＩＥＥＥ１３９４インタフェース）
３１  ＰＨＹチップ
４２  バイアス電圧ジェネレータ
５１  増幅回路
５２  ＬＥＤ（接続確認用のＬＥＤ、点灯部材）
Ａ    ポート（ケーブルの接続用のポート）
【図１】
2006217462.tif 000003
【図２】
2006217462.tif 000004
【図３】
2006217462.tif 000005